(57)【要約】【課題】蝶番を介してドア枠に取付けられたドアの荷重を、全てドア枠で支持するのではなく、蝶番裏板でも分散支持できるようになり、また、躯体に固定される蝶番裏板のアンカー片を曲折状に形成することにより、蝶番裏板自体の強度アップが図れると共に、躯体に対するアンカー片の溶接を容易にでき、さらには、蝶番裏板を補強材に兼用し、補強材の必要個数を削減する。【解決手段】躯体２に固定されるドア枠３の裏面側に沿って配され、ドア枠３の蝶番取付孔３ａを介して蝶番固定ネジ４が螺入される蝶番裏板１であって、該蝶番裏板１の一端部から躯体２側に曲折状に延長形成されて、躯体２に直接固定可能なアンカー片１ｂを備える。【選択図】図１
2008202327.tif 000002
【特許請求の範囲】
【請求項１】
躯体に固定されるドア枠の裏面側に沿って配され、ドア枠の蝶番取付孔を介して蝶番固定ネジが螺入される蝶番裏板であって、該蝶番裏板の一端部から躯体側に曲折状に延長形成されて、躯体に直接固定可能なアンカー片を備えることを特徴とする蝶番裏板。
【請求項２】
前記アンカー片は、平面視において、ドア枠に形成される戸当り片の延長線に沿うことを特徴とする請求項１記載の蝶番裏板。
【請求項３】
前記蝶番固定ネジが螺入されるネジ孔の周縁に、ドア枠の蝶番取付孔に嵌合する位置決め凸部が形成されることを特徴とする請求項１又は２記載の蝶番裏板。
【発明の詳細な説明】
【技術分野】
【０００１】
本発明は、ドア枠に対する蝶番の取付けに際し、ドア枠の裏面側に沿って配され、ドア枠の蝶番取付孔を介して蝶番固定ネジが螺入される蝶番裏板に関する。
【背景技術】
【０００２】
一般に、ドア枠に蝶番を取付ける場合は、蝶番裏板が使用される（例えば、特許文献１参照）。この種の蝶番裏板は、平板状の金属板材にネジ孔を加工してなり、ドア枠に対する蝶番の取付けに際し、ドア枠の裏面側に沿って配され、ドア枠の蝶番取付孔を介して蝶番固定ネジが螺入されるようになっている。
【０００３】
図４は従来例に係る蝶番裏板が使用された施工例を示すドア枠（縦枠）の水平断面図、図５は従来例に係る蝶番裏板が使用された施工例を示すドア枠の正面図である。
図４に示すように、蝶番１０１を介してドア枠１０２に取付けられたドア１０３の荷重は、蝶番１０１と、ドア枠１０２（蝶番固定ネジ１０４及び蝶番裏板１０５を含む）と、補強材１０６とを介して躯体１０７で支持される。補強材１０６は、ドア枠１０２を躯体１０７に固定するための部材であり、図５に示すように、ドア枠１０２に所定の間隔を存して溶着した複数の補強材１０６を、それぞれ躯体１０７（鉄筋１０７ａ）に溶接することにより、ドア枠１０２が躯体１０７に固定されるようになっている。
【０００４】
しかしながら、上記のような構造では、ドア１０３からの荷重が全てドア枠１０２を経由して躯体１０７に伝達されるので、大きな荷重が作用すると、強度不足によりドア枠１０２が変形する惧れがある。特に、ドア枠１０２の戸当り片１０２ａには、ドア１０３の開閉により大きな荷重が作用するが、図１０に示すように、戸当り片１０２ａは、ドア枠１０２の内部空間を存して躯体１０７から離間し、躯体１０７による直接的な支持作用が働きにくいため、戸当り片１０２ａに作用した荷重でドア枠１０２が変形する可能性がある。
【０００５】
また、ドア枠１０２に蝶番１０１を取付ける場合は、ドア枠１０２の裏面側に蝶番裏板１０５を沿わせることになるが、このとき蝶番裏板１０５のネジ孔をドア枠１０２の蝶番取付孔に位置合せする必要があるため、蝶番１０１の取付作業に手間がかかるという問題もあった。
【特許文献１】特開平８−２５４０６０号公報
【発明の開示】
【発明が解決しようとする課題】
【０００６】
本発明は、上記の如き問題点を一掃すべく創案されたものであって、蝶番を介してドア枠に取付けられたドアの荷重を、全てドア枠で支持するのではなく、蝶番裏板でも分散支持できるようになり、また、躯体に固定される蝶番裏板のアンカー片を曲折状に形成することにより、蝶番裏板自体の強度アップが図れると共に、躯体に対するアンカー片の溶接を容易にでき、さらには、蝶番裏板をドア枠の脚部として機能する補強材に兼用し、補強材の必要個数を削減できる蝶番裏板の提供を目的とする。
【課題を解決するための手段】
【０００７】
上記課題を解決するために本発明の蝶番裏板は、躯体に固定されるドア枠の裏面側に沿って配され、ドア枠の蝶番取付孔を介して蝶番固定ネジが螺入される蝶番裏板であって、該蝶番裏板の一端部から躯体側に曲折状に延長形成されて、躯体に直接固定可能なアンカー片を備えることを特徴とするものである。
【発明の効果】
【０００８】
本発明は、上記のように構成したことにより、蝶番を介してドア枠に取付けられたドアの荷重を、全てドア枠で支持するのではなく、蝶番裏板でも分散支持できるようになり、また、躯体に固定される蝶番裏板のアンカー片を曲折状に形成することにより、蝶番裏板自体の強度アップが図れると共に、躯体に対するアンカー片の溶接を容易にでき、さらには、蝶番裏板をドア枠の脚部として機能する補強材に兼用し、補強材の必要個数を削減することができる。
【発明を実施するための最良の形態】
【０００９】
以下、本発明の実施の形態を好適な実施の形態として例示する蝶番裏板を図面に基づいて詳細に説明する。ただし、従来例と共通の構成、特に、蝶番裏板以外の構成については、従来例の説明を援用する。
図１の（Ａ）は本発明の実施形態に係る蝶番裏板の平面図、（Ｂ）は側面図、（Ｃ）は正面図、図２は本発明の実施形態に係る蝶番裏板が使用された施工例を示すドア枠（縦枠）の水平断面図、図３は本発明の実施形態に係る蝶番裏板が使用された施工例を示すドア枠の正面図である。
【００１０】
これらの図に示すように、本発明の実施形態に係る蝶番裏板１は、躯体２に固定されるドア枠３の裏面側に沿って配され、ドア枠３の蝶番取付孔３ａを介して蝶番固定ネジ４が螺入されるライナー部材であるが、従来の蝶番裏板のように、平板状の金属板材ではなく、平面視Ｌ字状に曲折加工された金属板材で形成されている。
【００１１】
曲折加工により形成された二つの片１ａ、１ｂのうち、一方の片１ａは、従来の蝶番裏板と略同様に機能するライナー片１ａであり、ドア枠３の蝶番取付孔３ａと対応する位置に、蝶番固定ネジ４が螺入されるネジ孔（タップ孔）１ｃを加工してある。
ネジ孔１ｃは、従来と同様にバーリングタップ孔により形成されるが、本実施形態では、バーリング突出方向を逆方向としている。これにより、ネジ孔１ｃのドア枠側周縁には、ドア枠３の蝶番取付孔３ａに嵌合する位置決め凸部１ｄが形成されるようになっている。
【００１２】
他方の片１ｂは、蝶番裏板１の一端部から躯体２側に延出するアンカー片１ｂであり、鉄筋２ａとの溶接によって、躯体２に直接固定することが可能となっている。
蝶番裏板１の寸法に制限はなく、任意に設定することが可能であるが、施工後におけるアンカー片１ｂが、ドア枠３に形成される戸当り片３ｂの延長線に沿うように寸法設定を行うことが好ましい。
【００１３】
次に、本発明の実施形態に係る蝶番裏板１を使用した施工例について、図２及び図３を参照して説明する。
ドア枠３に蝶番５を取付ける場合は、蝶番裏板１をドア枠３の裏面側に沿わせ、蝶番５のネジ挿通孔５ａ及びドア枠３の蝶番取付孔３ａを介して、蝶番固定ネジ４を蝶番裏板１のネジ孔１ｃに螺入させる。このとき、蝶番裏板１は、ドア枠３との接触面に突出形成される位置決め凸部１ｄをドア枠３の蝶番取付孔３ａに嵌合させることにより、所定の取付位置に極めて容易に位置決めすることができる。
【００１４】
ドア枠３の躯体２に対する固定には、蝶番裏板１及び補強材６を躯体２の鉄筋２ａに溶接することにより行われる。
蝶番裏板１は、前述したように、一端部から躯体２側に曲折状に延長形成されたアンカー片１ｂを有し、このアンカー片１ｂを躯体２の鉄筋２ａに直接溶接する。
補強材６は、ドア枠３に所定の間隔を存して溶着されており、それぞれを躯体２の鉄筋２ａに溶接するが、蝶番５の取付位置においては、蝶番裏板１が躯体２に溶接されているので、補強材６が不要になると共に、ドア枠３の蝶番部分における脚部としての機能を兼ね備えている。
【００１５】
叙述の如く構成された本発明の実施の形態において、ドア枠３に対する蝶番５の取付けに際しては、蝶番裏板１をドア枠３の裏面側に沿わせ、ドア枠３の蝶番取付孔３ａを介して蝶番固定ネジ４を蝶番裏板１のネジ孔１ｃに螺入させるのであるが、本発明の蝶番裏板１は、一端部から躯体２側に曲折状に延長形成されて、躯体２に直接固定可能なアンカー片１ｂを備えているので、蝶番５を介してドア枠３に取付けられたドア７の荷重を、全てドア枠３の脚部３ｃで支持するのではなく、蝶番裏板１でも分散支持できるようになり、その結果、蝶番裏板１をドア枠３の部分的な脚部として機能を兼ね備えることができ、ドア７の荷重によるドア枠３の変形を防止できるだけでなく、補強材６の必要個数を削減することができる。
【００１６】
また、アンカー片１ｂは、蝶番裏板１に曲折状に形成されているので、蝶番裏板１自体の強度アップが図れると共に、アンカー片１ｂを可及的に躯体２に近づけ、溶接作業を容易にすることができる。
【００１７】
また、アンカー片１ｂは、平面視において、ドア枠３に形成される戸当り片３ｂの延長線に沿うように形成されるので、ドア７の開閉に際して最も荷重がかかる戸当り片３ｂ部位を強固に支持することができ、脚部３ｃ間における部分的な脚部として機能させることができる。
【００１８】
また、蝶番固定ネジ４が螺入されるネジ孔１ｃの周縁には、ドア枠３の蝶番取付孔３ａに嵌合する位置決め凸部１ｄが形成されているので、蝶番裏板１のネジ孔１ｃとドア枠３の蝶番取付孔３ａとの位置合せを容易にし、蝶番５の取付作業性を向上させることができる。
【図面の簡単な説明】
【００１９】
【図１】（Ａ）は本発明の実施形態に係る蝶番裏板の平面図、（Ｂ）は側面図、（Ｃ）は正面図である。
【図２】本発明の実施形態に係る蝶番裏板が使用された施工例を示すドア枠（縦枠）の水平断面図である。
【図３】本発明の実施形態に係る蝶番裏板が使用された施工例を示すドア枠の正面図である。
【図４】従来例に係る蝶番裏板が使用された施工例を示すドア枠（縦枠）の水平断面図である。
【図５】従来例に係る蝶番裏板が使用された施工例を示すドア枠の正面図である。
【符号の説明】
【００２０】
１        蝶番裏板
１ａ      ライナー片
１ｂ      アンカー片
１ｃ      ネジ孔
１ｄ      位置決め凸部
２        躯体
２ａ      鉄筋
３        ドア枠
３ａ      蝶番取付孔
３ｂ      戸当り片
４        蝶番固定ネジ
５        蝶番
５ａ      ネジ挿通孔
６        補強材
７        ドア
１０１    蝶番
１０２    ドア枠
１０２ａ  戸当り片
１０３    ドア
１０４    蝶番固定ネジ
１０５    蝶番裏板
１０６    補強材
１０７    躯体
１０７ａ  鉄筋
【図１】
2008202327.tif 000003
【図２】
2008202327.tif 000004
【図３】
2008202327.tif 000005
【図４】
2008202327.tif 000006
【図５】
2008202327.tif 000007